(57)【要約】      （修正有）【課題】雰囲気制御材を配置したい様々なスペースに柔軟に対応して、雰囲気制御材を配置することが可能である雰囲気制御材容器を提供する。【解決手段】雰囲気制御材容器１は、第１収容体３０と、第２収容体４０と、ハンガー体５と、を備える。ここで、第１収容体３０は第１雰囲気制御材８を収容し、第２収容体４０は第２雰囲気制御材９を収容する。そして、第２収容体４０は、第１ヒンジ手段１０により第１収容体３０の一方の端部２ｃに回転自在に連結される。また、ハンガー体５は、第２ヒンジ手段２０により第１収容体３０の他方の端部２ｄに回転自在に連結される。【選択図】図４
0003181198.tif 000002
【実用新案登録請求の範囲】
【請求項１】
第１雰囲気制御材を収容する第１収容体と、第２雰囲気制御材を収容するとともに第１ヒンジ手段により前記第１収容体の一方の端部に回転自在に連結された第２収容体と、第２ヒンジ手段により前記第１収容体の他方の端部に回転自在に連結されたハンガー体と、を備えることを特徴とする雰囲気制御材容器。
【請求項２】
前記第１収容体および前記第２収容体はともに略直方体に形成されており、前記第１収容体の縦長さと前記第２収容体の縦長さとは略等しく、前記第１収容体の横長さと前記第２収容体の横長さとは略等しいことを特徴とする請求項１に記載された雰囲気制御材容器。
【請求項３】
前記第２収容体は、前記第１ヒンジ手段により前記第１収容体に対し開閉角度略０度の全閉状態から、開閉角度略１８０度の全開状態まで展開可能に設定されていることを特徴とする請求項１または請求項２に記載された雰囲気制御材容器。
【請求項４】
前記ハンガー体は、前記第２ヒンジ手段により前記第１収容体に対し開閉角度略０度の全閉状態から、開閉角度略１８０度の全開状態まで展開可能に設定されていることを特徴とする請求項１乃至請求項３のいずれか一つに記載された雰囲気制御材容器。
【請求項５】
前記第１雰囲気制御材および前記第１雰囲気制御材は、低温炭素材であることを特徴とする請求項１乃至請求項４のいずれか一つに記載された雰囲気制御材容器。
【考案の詳細な説明】
【技術分野】
【０００１】  この考案は、雰囲気制御材容器に関する。
【背景技術】
【０００２】  家庭内（例えば、居室，下駄箱，冷蔵庫，タンス内）の雰囲気を制御する雰囲気制御材として、防虫材、脱臭材、芳香材など数多くの雰囲気制御材が広く用いられている。これらの雰囲気制御材は、通気孔が形成された専用容器に内包配置される。そして、雰囲気制御材が内包された専用容器は、その用途（例えば、防虫，脱臭，芳香など）に応じて家庭内の適所に配置される。【０００３】  ここで、例えば、（雰囲気制御材として）防虫材を内包する容器は、下駄箱の天板上に「据え置き」したい場合や、洋ダンス内に「吊り下げ」したい場合など、種々の方法で配置したい場合がある。このように、（据え置き・吊り下げの）２種類の配置方法に対して、一つの容器で対応可能であれば、利用者において便利である。そこで、特許文献１に示すように、据え置き・吊り下げの双方に対応可能な防虫剤容器が提案されている。
【先行技術文献】
【特許文献】
【０００４】
【特許文献１】  特開２００９−２２１６４号公報
【考案の概要】
【考案が解決しようとする課題】
【０００５】  しかしながら、上記のように「吊り下げ」および「単なる据え置き」のみならず、雰囲気制御材を配置したい様々なスペースに柔軟に対応することが可能な雰囲気制御材容器が提案されれば、利用者において更に便利なこととなる。【０００６】  そこで、この考案は、上述した事情に鑑みてなされたものであって、「吊り下げ」および「単なる据え置き」のみならず、雰囲気制御材を配置したい様々なスペースに柔軟に対応して配置することが可能な雰囲気制御材容器を提供することである。
【課題を解決するための手段】
【０００７】  上記の課題を解決するために、本考案の雰囲気制御材容器は、第１収容体と、第２収容体と、ハンガー体と、を備える。ここで、第１収容体は第１雰囲気制御材を収容し、第２収容体は第２雰囲気制御材を収容する。そして、第２収容体は、第１ヒンジ手段により第１収容体の一方の端部に回転自在に連結される。また、ハンガー体は、第２ヒンジ手段により第１収容体の他方の端部に回転自在に連結される。
【考案の効果】
【０００８】  本考案の雰囲気制御材容器は、雰囲気制御材を配置したい様々なスペースに柔軟に対応して配置することが可能である。
【図面の簡単な説明】
【０００９】
【図１】  本考案の実施形態にかかる雰囲気制御材容器の全閉状態における斜視図である。
【図２】  本考案の実施形態にかかる雰囲気制御材容器の半開状態における斜視図である。
【図３】  本考案の実施形態にかかる雰囲気制御材容器の全開状態における斜視図である。
【図４】  本考案の実施形態にかかる雰囲気制御材容器の全開状態における展開斜視図である。
【図５】  本考案の実施形態にかかる雰囲気制御材容器の吊り下げ状態における斜視図である。
【図６】  本考案の実施形態にかかる雰囲気制御材容器のハンガー体のみが折り畳まれた状態における展開斜視図である。
【図７】  本考案の実施形態にかかる雰囲気制御材容器を靴の配置したときの斜視図である。
【考案を実施するための形態】
【００１０】  次に、この考案の実施形態の雰囲気制御材容器を図１から図４に基づいて説明する。
【００１１】  図１から図４に示すように、雰囲気制御材容器（１）は、第１雰囲気制御材（８）を収容する第１収容体（３０）と、第２雰囲気制御材（９）を収容する第２収容体（４０）と、ハンガー体（５）と、を主に備える。
【００１２】  第１収容体（３０）は、第１収容本体（２）と第１カバー体（６）と、を備え、略直方体に形成されている。第１収容本体（２）は、上面が開口した有底箱形状に形成され、有底部に複数の通気孔（２ａ）が形成されている。そして、図４に示すように第１収容本体（２）内に第１雰囲気制御材（８）が収容される。
【００１３】  ここで、収容本体（２）の内壁には、複数の底上部（２ｔ）が形成されている。そして、底上部（２ｔ）上面に第１雰囲気制御材（８）が配置固定される。このように、第１雰囲気制御材（８）が底上部（２ｔ）上面に配置されることにより、第１雰囲気制御材（８）と通気孔（２ａ）の間に空間が形成され、通気孔（２ａ）が塞がれることがない。そのため、通気孔（２ａ）から効果的に雰囲気が流入出することが可能となる。
【００１４】  第１カバー体（６）は、平板状に形成され複数の通気孔（６ａ）が形成されている。第１カバー体（６）の外形形状は、第１収容本体（２）の開口の内形形状と略等しく（若干小さく）設定されている。そして、第１カバー体（６）により、制御材（８）を内包した本体（２）の開口が覆われる。ここで、第１カバー体（６）には、複数の押え部（６ｂ）が制御材（８）に向く設定となるよう形成されている。そして、押え部（６ｂ）により制御材（８）が本体（２）に押し付けられ、固定される。
【００１５】  同様に、第２収容体（４０）は、第２収容本体（３）と第２カバー体（７）と、を備え、略直方体に形成されている。第２収容本体（３）は、上面が開口した有底箱形状に形成され、有底部に複数の通気孔（３ａ）が形成されている。そして、図４に示すように第２収容本体（３）内に第２雰囲気制御材（９）が収容される。
【００１６】  ここで、収容本体（３）の内壁には、複数の底上部（３ｔ）が形成されている。そして、底上部（３ｔ）上面に第２雰囲気制御材（９）が配置固定される。このように、第２雰囲気制御材（９）が底上部（３ｔ）上面に配置されることにより、第２雰囲気制御材（９）と通気孔（３ａ）の間に空間が形成され、通気孔（３ａ）が塞がれることがない。そのため、通気孔（３ａ）から効果的に雰囲気が流入出することが可能となる。
【００１７】  第２カバー体（７）は、平板状に形成され複数の通気孔（７ａ）が形成されている。第２カバー体（７）の外形形状は、第２収容本体（３）の開口の内形形状と略等しく（若干小さく）設定されている。そして、第２カバー体（７）により、制御材（９）を内包した本体（３）の開口が覆われる。ここで、第２カバー体（７）には、複数の押え部（７ｂ）が制御材（９）に向く設定となるよう形成されている。そして、押え部（７ｂ）により制御材（９）が本体（３）に押し付けられ、固定される。
【００１８】  次に、第２収容体（４０）の第１収容体（３０）への連結について、引き続きハンガー体（５）の第１収容体（３０）への連結について説明する。
【００１９】  図３に示すように、第２収容体（４０）と第１収容体（３０）とは、第１ヒンジ手段（１０）により回転自在に連結される。第１ヒンジ手段（１０）は、船形状の連結体（４）と４つのネジ（Ｓ１〜Ｓ４）とを備える。第１収容体（３０）の一方の端部（２ｃ）と第２収容体（４０）の一方の端部（３ｃ）とが対向して配置される。この対向配置されたときに第１収容体（３０）と第２収容体（４０）の間には、連結体（４）は配置されるスペースが形成されるよう設定されている。このスペースに連結体（４）が配置され、ネジ（Ｓ１，Ｓ２）により第１収容体（３０）の端部（２ｃ）が回転自在に固定され、ネジ（Ｓ３，Ｓ４）により第２収容体（４０）の端部（３ｃ）が回転自在に固定される。このように固定されることにより、第１ヒンジ手段（１０）により、第２収容体（４０）と第１収容体（３０）とは回転自在に連結される。
【００２０】  図３に示すように、ハンガー体（５）と第１収容体（３０）とは、第２ヒンジ手段（２０）により回転自在に連結される。第２ヒンジ手段（２０）は、ハンガー体（５）のヒンジ部（５ａ）とネジ（Ｓ５，Ｓ６）とを備える。ヒンジ部（５ａ）が第１収容体（３０）の他方の端部（２ｄ）に対向して近接して配置される。そして、ネジ（Ｓ５，Ｓ６）により端部（２ｄ）とヒンジ部（５ａ）が回転自在に固定される。このように固定されることにより第２ヒンジ手段（２０）により、ハンガー体（５）と第１収容体（３０）とは回転自在に連結される。
【００２１】  次に、図３に基づき、第１収容体（３０）に対する第２収容体（４０）の開閉角度（θ１）、および第１収容体（３０）に対するハンガー体（５）の開閉角度（θ２）について説明する。
【００２２】  同図に示すように、第２収容体（４０）は、第１ヒンジ手段（１０）により第１収容体（３０）に対し開閉角度（θ１）略０度の全閉状態から、開閉角度（θ１）略１８０度の全開状態まで展開可能に設定されている（略０°≦θ１≦略１８０°）。また、ハンガー体（５）は、第２ヒンジ手段（２０）により第１収容体（３０）に対し開閉角度（θ２）略０度の全閉状態から、開閉角度（θ２）略１８０度の全開状態まで展開可能に設定されている（略０°≦θ２≦略１８０°）。
【００２３】  図２は、ハンガー体（５）を全閉状態にし、第２収容体（４０）を半開状態にしたときの容器（１）の床面への設置状態を示したものである。第２収容体（４０）の開閉角度（θ１）を調整することにより、制御材（８，９）の雰囲気への作用状態を調整することができる。すなわち、制御材（８，９）への雰囲気の吸収量および、制御材（８，９）からの効果ガスの雰囲気へ放出量を調整することができる。
【００２４】  次に、図１に基づき第１収容体（３０）に対し、第２収容体（４０）およびハンガー体（５）をともに全閉状態（θ１≒０，θ２≒０）としたときの容器（１）について説明する。
【００２５】  同図に示すように、第１収容体（３０）の縦長さ（Ｌ１）と第２収容体（４０）の縦長さ（Ｌ２）とは略等しく（Ｌ１≒Ｌ２）設定されている。また、第１収容体（３０）の横長さ（Ｗ１）と第２収容体（４０）の横長（Ｗ２）さとは略等しく（Ｗ１≒Ｗ２）設定されている。また、第１ヒンジ手段（１０）により全閉状態（θ１≒０）において、第１収容体（３０）と第２収容体（４０）とは互いに重なるように設定されている。そのため、全閉状態（θ１≒０）において、第１収容体（３０）と第２収容体（４０）のいずれか一方が外部にはみ出すことがなくコンパクトな構成となる。
【００２６】  次に、本実施形態に用いられる雰囲気制御材（８，９）について説明する。本実施形態の雰囲気制御材（８，９）は、いわゆる低温炭素材である。低温炭素材は、６００°Ｃ以下の低温状態において、木材を炭化させたものであり、雰囲気中の特定のガスを吸着する能力に非常に優れた材料である。なお、雰囲気制御材（８，９）は、低温炭素材に限られないことは言うまでもなく、一般に市販されている防虫材、脱臭材、芳香材等であってよい。
【００２７】  最後に、図５から図７に基づき本実施形態の容器（１）の設置例を示す。
【００２８】  図５は、第１収容体（３０）に対し、第２収容体（４０）およびハンガー体（５）をともに全開状態（θ１≒１８０°，θ２≒１８０°）にし、洋ダンス等の吊り下げ棒（Ｂ）に容器（１）を吊り下げた状態を示す。
【００２９】  図６は、第１収容体（３０）に対し、第２収容体（４０）を全開状態（θ１≒１８０）とし、ハンガー体（５）を全閉状態（θ２≒０°）にしたものである。このような形態とすると容器（１）を長手方向に細長く構成することができ、細長いスペースに容器（１）を配置したい場合に好適である。
【００３０】  図７は、図２と同様にハンガー体（５）を全閉状態にし、第２収容体（４０）を半開状態にしたときの容器（１）を、一組の靴に配置した例をしたものである。このように第２収容体（４０）を半開状態にすることにより、第１収容体（３０）を左側の靴内に個別に配置でき、第２収容体（４０）を右側の靴内に個別に配置できる。このように、靴内に直接配置することにより、効果的に靴内の雰囲気制御することが可能となる。
【００３１】  なお、本考案は上述の実施形態に限られるものではなく、本考案の趣旨を逸脱しない範囲において、上述の実施形態に種々の変更を加えたものを含む。
【符号の説明】
【００３２】１…雰囲気制御材容器，２…第１収容本体，２ａ…通気孔，２ｂ…リブ，２ｃ…一方の端部，２ｄ…他方の端部，３…第２収容本体，３ａ…通気孔，４…連結体，５…ハンガー体，５ａ…ヒンジ部，６…第１カバー体，６ａ…挿通孔，６ｂ…押え部，４０…第２収容体，７…第２カバー体，７ａ…挿通孔，７ｂ…押え部，８…第１雰囲気制御材（低温炭素材），９…第２雰囲気制御材（低温炭素材），１０…第１ヒンジ手段，２０…第２ヒンジ手段，３０…第１収容体，４０…第２収容体，Ｓ１〜Ｓ６…ネジ，Ａ１…第１回転軸，Ａ２…第２回転軸，Ｂ…吊り下げ棒
【図１】
0003181198.tif 000003
【図２】
0003181198.tif 000004
【図３】
0003181198.tif 000005
【図４】
0003181198.tif 000006
【図５】
0003181198.tif 000007
【図６】
0003181198.tif 000008
【図７】
0003181198.tif 000009